(57)【要約】【課題】情報処理装置で本来行うべき作業以外の余計な負荷をかけずに温度制御を行い、予約動作を実行することが可能な情報処理装置を提供する。【解決手段】  本実施形態の情報処理装置1は、予約動作を設定する予約動作設定手段（11）と、予約動作設定手段（11）により設定された予約動作を実行する予約動作制御手段（12）と、を有し、予約動作制御手段（12）は、温度センサ（2）で計測された温度の状態で、予約動作設定手段（11）により設定された予約動作が実行できない場合に、空調機器（3）を遠隔制御し、予約動作が実行可能な温度に制御する。【選択図】図２
2010078260.tif 000002
【特許請求の範囲】
【請求項１】
温度計測手段で計測された温度の状態で、予約動作が実行できない場合に、空調機器を遠隔制御し、予約動作が実行可能な温度に制御することを特徴とする情報処理装置。
【請求項２】
予約動作を設定する設定手段と、
前記設定手段により設定された予約動作を実行する制御手段と、を有し、
前記制御手段は、
温度計測手段で計測された温度の状態で、前記設定手段により設定された予約動作が実行できない場合に、空調機器を遠隔制御し、予約動作が実行可能な温度に制御することを特徴とする情報処理装置。
【請求項３】
前記制御手段は、
前記温度計測手段で計測された温度の状態で、前記設定手段により設定された予約動作が実行可能か否かを判定する判定手段と、
前記判定手段で実行不可能と判定した場合に、予約動作が実行可能な温度になるように空調機器を遠隔制御する遠隔制御手段と、
を有することを特徴とする請求項２記載の情報処理装置。
【請求項４】
前記設定手段により設定された予約動作と、温度確認時刻と、を対応付けて管理する管理手段を有し、
前記判定手段は、
前記管理手段で管理する温度確認時刻になった場合に、前記温度計測手段で計測された温度を確認し、該確認した温度の状態で、前記温度確認時刻と対応付けて前記管理手段に管理されている予約動作が実行可能か否かを判定することを特徴とする請求項３記載の情報処理装置。
【請求項５】
前記設定手段により設定された予約動作と、前記予約動作を実行した場合に発生する温度上昇の予測値と、温度確認時刻と、を対応付けて管理する管理手段を有し、
前記判定手段は、
前記管理手段で管理する温度確認時刻になった場合に、前記温度計測手段で計測された温度を確認し、該確認した温度の状態で、前記温度確認時刻と対応付けて前記管理手段に管理されている予約動作が実行可能か否かを判定する第１の判定手段と、
前記第１の判定手段で実行可能と判定した場合に、前記確認した温度の状態から前記温度確認時刻と対応付けて前記管理手段に管理されている温度上昇の予測値だけ温度が上昇しても、予約動作が実行可能か否かを判定する第２の判定手段と、を有し、
前記遠隔制御手段は、
前記第１の判定手段で実行不可能と判定した場合には、予約動作が実行可能な温度になるように前記空調機器を遠隔制御し、
前記第２の判定手段で実行不可能と判定した場合には、前記確認した温度の状態から前記温度上昇の予測値だけ温度が上昇しても、予約動作が実行可能な温度になるように前記空調機器を遠隔制御することを特徴とする請求項３記載の情報処理装置。
【請求項６】
前記設定手段は、
前記情報処理装置を遠隔操作することが可能な通信端末装置から遠隔操作内容を受け付けた場合に、その遠隔操作内容を予約動作として前記管理手段に設定し、前記遠隔操作内容を予約動作として前記管理手段に設定した時刻を温度確認時刻として前記管理手段に設定することを特徴とする請求項４または５記載の情報処理装置。
【請求項７】
前記遠隔制御手段は、
前記空調機器を遠隔制御可能なリモコンと同じ制御信号に変換し、該変換した制御信号を用いて前記空調機器を遠隔制御することを特徴とする請求項３から６の何れか１項に記載の情報処理装置。
【請求項８】
情報処理装置と、空調機器と、温度計測手段と、を有して構成する情報処理システムであって、
前記情報処理装置は、
予約動作を設定する設定手段と、
前記設定手段により設定された予約動作を実行する制御手段と、を有し、
前記制御手段は、
前記温度計測手段で計測された温度の状態で、前記設定手段により設定された予約動作が実行できない場合に、前記空調機器を遠隔制御し、予約動作が実行可能な温度に制御することを特徴とする情報処理システム。
【請求項９】
情報処理装置で行う温度制御方法であって、
予約動作を設定する設定工程と、
前記設定工程により設定された予約動作を実行する制御工程と、を有し、
前記制御工程は、
温度計測手段で計測された温度の状態で、前記設定工程により設定された予約動作が実行できない場合に、空調機器を遠隔制御し、予約動作が実行可能な温度に制御することを特徴とする温度制御方法。
【請求項１０】
情報処理装置に実行させる温度制御プログラムであって、
予約動作を設定する設定処理と、
前記設定処理により設定された予約動作を実行する制御処理と、を前記情報処理装置に実行させ、
前記制御処理は、
温度計測手段で計測された温度の状態で、前記設定処理により設定された予約動作が実行できない場合に、空調機器を遠隔制御し、予約動作が実行可能な温度に制御することを特徴とする温度制御プログラム。
【発明の詳細な説明】
【技術分野】
【０００１】
本発明は、情報処理装置、情報処理システム、温度制御方法および温度制御プログラムに関するものである。
【背景技術】
【０００２】
HDD/DVDレコーダやホームサーバ等の情報処理装置は予約動作機能を搭載しているのが一般的である。予約動作機能としては、例えば、予約録画が挙げられる。予約録画は、録画したい番組を予約し、その予約した番組を自動録画する機能である。
【０００３】
しかし、情報処理装置の周囲の温度環境によっては、予約動作の安定性を確保できない場合がある。
【０００４】
例えば、情報処理装置の周囲の温度環境が高温の場合には、情報処理装置のCPUやHDD等のハードウェア資源も高温になり、ハードウェア資源に余計な負荷がかかり、情報処理装置の処理能力が低下してしまうことになる。逆に、情報処理装置の周囲の温度環境が低温の場合には、ハードウェア資源も低温になり、ハードウェア資源が所定の温度になるまでの間は、情報処理装置の処理能力が低下してしまうことになる。
【０００５】
また、情報処理装置が動作している間は、ハードウェア資源自体も熱を発生する。その結果、情報処理装置の周囲の温度環境が高温の場合には、その温度環境による影響が情報処理装置の処理能力の低下に顕著に現れることになる。このため、周囲の温度を計測し、その計測した温度に応じて、予約動作を停止する仕組がある。しかし、このような仕組では、結局、予約動作を全て完了させることができないことになる。
【０００６】
このようなことから、本発明より先に出願された技術文献として、情報処理装置をシャットダウンさせずに最大放熱制御を実行し、情報処理装置で作業中のデータを保持可能にする技術について開示された文献がある（例えば、特許文献１参照）。
【特許文献１】特開２００８−１５８７８７号公報
【発明の開示】
【発明が解決しようとする課題】
【０００７】
しかし、上記特許文献１では、情報処理装置の作業中に最大放熱制御も並行して実行することになるため、情報処理装置で本来行うべき作業以外の余計な負荷をかけてしまうことになる。
【０００８】
本発明は、上記事情に鑑みてなされたものであり、上述した課題である、情報処理装置で本来行うべき作業以外の余計な負荷をかけずに温度制御を行い、予約動作を実行することが可能な情報処理装置、情報処理システム、温度制御方法および温度制御プログラムを提供することを目的とする。
【課題を解決するための手段】
【０００９】
かかる目的を達成するために、本発明は、以下の特徴を有することとする。
【００１０】
＜情報処理装置＞
本発明にかかる情報処理装置は、温度計測手段で計測された温度の状態で、予約動作が実行できない場合に、空調機器を遠隔制御し、予約動作が実行可能な温度に制御することを特徴とする。
【００１１】
また、本発明にかかる情報処理装置は、予約動作を設定する設定手段と、前記設定手段により設定された予約動作を実行する制御手段と、を有し、前記制御手段は、温度計測手段で計測された温度の状態で、前記設定手段により設定された予約動作が実行できない場合に、空調機器を遠隔制御し、予約動作が実行可能な温度に制御することを特徴とする。
【００１２】
＜情報処理システム＞
また、本発明にかかる情報処理システムは、情報処理装置と、空調機器と、温度計測手段と、を有して構成する情報処理システムであって、前記情報処理装置は、予約動作を設定する設定手段と、前記設定手段により設定された予約動作を実行する制御手段と、を有し、前記制御手段は、前記温度計測手段で計測された温度の状態で、前記設定手段により設定された予約動作が実行できない場合に、前記空調機器を遠隔制御し、予約動作が実行可能な温度に制御することを特徴とする。
【００１３】
＜温度制御方法＞
また、本発明にかかる温度制御方法は、情報処理装置で行う温度制御方法であって、予約動作を設定する設定工程と、前記設定工程により設定された予約動作を実行する制御工程と、を有し、前記制御工程は、温度計測手段で計測された温度の状態で、前記設定工程により設定された予約動作が実行できない場合に、空調機器を遠隔制御し、予約動作が実行可能な温度に制御することを特徴とする。
【００１４】
＜温度制御プログラム＞
また、本発明にかかる温度制御プログラムは、情報処理装置に実行させる温度制御プログラムであって、予約動作を設定する設定処理と、前記設定処理により設定された予約動作を実行する制御処理と、を前記情報処理装置に実行させ、前記制御処理は、温度計測手段で計測された温度の状態で、前記設定処理により設定された予約動作が実行できない場合に、空調機器を遠隔制御し、予約動作が実行可能な温度に制御することを特徴とする。
【発明の効果】
【００１５】
本発明によれば、情報処理装置で本来行うべき作業以外の余計な負荷をかけずに温度制御を行い、予約動作を実行することが可能となる。
【発明を実施するための最良の形態】
【００１６】
＜情報処理システムの概要＞
まず、図１、図２を参照しながら、本実施形態の情報処理システムの概要について説明する。図１は、本実施形態の情報処理システムのシステム構成例を示し、図２は、情報処理装置1の内部構成例を示す。
【００１７】
本実施形態の情報処理システムは、情報処理装置1と、空調機器3と、温度計測手段（温度センサ2に相当）と、を有して構成する情報処理システムである。
【００１８】
そして、本実施形態の情報処理装置1は、図２に示すように、予約動作を設定する設定手段（予約動作設定手段11に相当)と、設定手段11により設定された予約動作を実行する制御手段（予約動作制御手段12に相当）と、を有し、制御手段12は、温度計測手段2で計測された温度の状態で、設定手段11により設定された予約動作が実行できない場合に、空調機器3を遠隔制御し、予約動作が実行可能な温度に制御する。
【００１９】
これにより、本実施形態の情報処理装置1は、設定手段11により設定された予約動作が実行できない場合に、空調機器3を遠隔制御し、予約動作が実行可能な温度にすることが可能となる。その結果、本実施形態の情報処理装置1は、情報処理装置1で本来行うべき作業以外の余計な負荷をかけずに温度制御を行い、予約動作を実行することが可能となる。以下、添付図面を参照しながら、本実施形態の情報処理システムについて詳細に説明する。
【００２０】
＜情報処理システム＞
まず、図１を参照しながら、本実施形態の情報処理システムのシステム構成について説明する。図１は、本実施形態の情報処理システムのシステム構成例を示す図である。
【００２１】
本実施形態の情報処理システムは、情報処理装置1と、空調機器3と、温度センサ2と、を有して構成する。
【００２２】
空調機器3は、周囲の温度を冷却したり、暖かくしたりする装置である。本実施形態の空調機器3は、温度を冷却したり、暖かくしたりする機能（冷房機能、暖房機能）を有する機器であれば、特に限定するものではなく、扇風機、エアコン等の既存の装置が適用可能である。
【００２３】
温度センサ2は、周囲の温度を計測するものである。なお、本実施形態の温度センサ2は、温度を測定することが可能であれば、あらゆる機器が適用可能である。
【００２４】
情報処理装置1は、各種の情報処理を行う装置である。なお、本実施形態の情報処理装置1は、予約動作機能を搭載しているものとする。例えば、HDDレコーダ機能を搭載し、放送番組等の予約録画を行うものとする。また、情報処理装置1に保存された写真、映像、音楽等のコンテンツをホームネットワークで接続された映像機器、オーディオ機器、パソコン等の機器に送信し、その機器でコンテンツを視聴することも可能である。
【００２５】
本実施形態の情報処理装置1は、温度センサ2で測定した温度に応じて空調機器3を遠隔制御し、周囲の温度を冷却したり、暖かくしたりすることになる。なお、空調機器3は既存の機器を適用するため、情報処理装置1は、空調機器3を遠隔制御することが可能なリモコンと同様な制御信号に変換し、その変換した制御信号を用いて空調機器3を遠隔制御することになる。例えば、市販のエアコンは、リモコン操作で遠隔制御が可能な仕組となっている。このため、本実施形態の空調機器3としてエアコンを遠隔制御する場合には、そのエアコンを遠隔制御することが可能なリモコンと同様な制御信号に変換し、その変換した制御信号を用いてエアコンを遠隔制御することになる。これにより、既存の空調機器3に改良を加えることなく、空調機器3を遠隔制御することが可能となる。
【００２６】
＜情報処理装置1の内部構成＞
次に、図２を参照しながら、本実施形態の情報処理装置1の内部構成について説明する。図２は、本実施形態の情報処理装置1の内部構成例を示す図である。
【００２７】
本実施形態の情報処理装置1は、制御部10と、記憶部20と、を有して構成する。制御部10は、情報処理装置1を制御するものである。制御部10は、予約動作設定手段11と、予約動作制御手段12と、を有して構成する。
【００２８】
予約動作設定手段11は、予約動作内容を記憶部20の予約動作管理手段21に設定するものである。なお、予約動作内容を予約動作管理手段21に設定する際の設定方法は特に限定するものではなく、あらゆる設定方法が可能である。例えば、人手操作で予約動作内容を予約動作管理手段21に設定する方法がある。また、情報処理装置1への遠隔操作が可能な通信端末装置（図示せず）を操作し、情報処理装置1にアクセスし、遠隔操作で予約動作内容を予約動作管理手段21に設定する方法がある。
【００２９】
予約動作制御手段12は、予約動作管理手段21に設定されている予約動作内容の予約動作を実行するものである。予約動作制御手段12は、予約動作実行判定手段121と、遠隔制御手段122と、を有して構成する。
【００３０】
予約動作実行判定手段121は、温度センサ2で計測された温度を確認し、その確認した温度の状態で予約動作内容が実行可能か否かを判定するものである。遠隔制御手段122は、予約動作実行判定手段121の判定結果に応じて空調機器3を遠隔制御するものである。
【００３１】
記憶部20は、各種情報を記憶するものである。記憶部20は、予約動作管理手段21を有して構成する。予約動作管理手段21は、予約動作設定手段11により設定された予約動作内容のリストを管理するものであり、図３に示すように、『予約ID』と、『温度確認時刻』と、『予約動作内容』と、『予約動作開始時刻』と、『予約動作終了時刻』と、を対応付けて管理する。図３は、予約動作管理手段21で管理する予約動作リストのテーブル構成例を示す図である。
【００３２】
図３に示す『予約ID』は、予約動作を管理するための情報である。
【００３３】
『温度確認時刻』は、温度センサ2で計測した温度を確認する時刻である。なお、『温度確認時刻』は、『予約動作開始時刻』よりも所定の時刻だけ早い時刻を設定するように構築することが好ましい。図３の例では、『予約動作開始時刻』よりも30分だけ早い時刻を設定している。なお、『温度確認時刻』の設定方法は特に限定するものではなく、任意のアルゴリズムを用いて設定するように構築することも可能である。
【００３４】
『予約動作内容』は、予約動作設定手段11により設定された予約動作内容を特定する情報である。例えば、予約録画の場合には、録画する番組情報や、録画方法、予約録画が実行可能な温度環境等の情報が挙げられる。
【００３５】
『予約動作開始時刻』は、予約動作を開始する時刻である。『予約動作終了時刻』は、予約動作を終了する時刻である。
【００３６】
＜情報処理装置1の処理動作＞
次に、図４を参照しながら、本実施形態の情報処理装置1の処理動作について説明する。図４は、本実施形態の情報処理装置1の処理動作例を示す図である。なお、情報処理装置1は、図４に示す処理動作を開始する前に待機状態に移行しているものとする。
【００３７】
まず、予約動作実行判定手段121は、予約動作管理手段21で管理されている温度確認時刻になった場合に（ステップS1/Yes）、温度センサ2で測定された温度を確認する（ステップS2）。
【００３８】
次に、予約動作実行判定手段121は、ステップS2で確認した温度の状態で、その温度確認時刻に対応付けて図３に示す予約動作管理手段21で管理されている予約動作内容が実行可能か否かを判定する（ステップS3）。
【００３９】
予約動作実行判定手段121は、予約動作内容が実行可能と判定した場合に（ステップS3/Yes）、図３に示す予約動作管理手段21で管理されている予約動作開始時刻になった場合に、その予約動作内容の予約動作を実行する（ステップS4）。そして、予約動作終了時刻になった場合に、予約動作を終了し、待機状態に移行する（ステップS5）。
【００４０】
また、予約動作実行判定手段121は、予約動作内容が実行不可能と判定した場合に（ステップS3/No）、遠隔制御手段122は、空調機器3の遠隔制御を開始し、予約動作開始時刻までに予約動作内容が実行可能な温度になるように空調機器3を制御する（ステップS6）。
【００４１】
例えば、ステップS2で予約動作実行判定手段121が確認した温度が、予約動作内容の実行可能な温度よりも低い場合には、その予約動作内容が予約動作開始時刻までに実行可能な温度になるように空調機器3を暖房に設定する。
【００４２】
また、ステップS2で予約動作実行判定手段121が確認した温度が、予約動作内容の実行可能な温度よりも高い場合には、その予約動作内容が予約動作開始時刻までに実行可能な温度になるように空調機器3を冷房に設定する。
【００４３】
なお、空調機器3に設定する温度は、ステップS2で予約動作実行判定手段121が確認した温度；T1と、予約動作内容の実行可能な温度；T2と、の差分；ΔT＝｜T1-T2｜に応じて設定することが好ましい。但し、空調機器3に設定する温度の設定方法は、予約動作開始時刻までに予約動作内容が実行可能な温度になるようにすることが可能であれば、特に限定するものではなく、任意のアルゴリズムを用いて設定するように構築することが可能である。
【００４４】
また、空調機器3を遠隔制御する場合には、情報処理装置1と空調機器3との位置関係を情報処理装置1が把握し、その位置関係を基に、空調機器3に向けて制御信号を送信するように構築することが好ましい。
【００４５】
例えば、情報処理装置1と空調機器3との位置関係が図５に示す状態と仮定する。この場合、情報処理装置1Aは、空調機器3に向けて制御信号Aを送信する。また、情報処理装置1Bは、空調機器3に向けて制御信号Bを送信する。また、情報処理装置１Cは、空調機器3に向けて制御信号Cを送信する。これにより、情報処理装置1から空調機器3に送信する制御信号の指向性を向上させ、空調機器3を確実に遠隔制御することが可能となる。なお、情報処理装置1と空調機器3との位置関係は、情報処理装置1が把握できれば、その把握方法は特に限定するものではなく、あらゆる手法が適用可能である。例えば、情報処理装置1と空調機器3との位置関係を予め情報処理装置1に登録する方法が挙げられる。また、空調機器3に小型無線機を設置し、その小型無線機から送信される情報を基に、情報処理装置1と空調機器3との位置関係を情報処理装置1が自動的に把握する方法等が挙げられる。
【００４６】
予約動作実行判定手段121は、遠隔制御手段122が遠隔制御を開始した後に、予約動作管理手段21で管理されている予約動作開始時刻になった場合に、その予約動作内容の予約動作を実行する（ステップS7）。
【００４７】
遠隔制御手段122は、予約動作管理手段21で管理されている予約動作終了時刻になった場合に、遠隔制御を終了する（ステップS8）。また、予約動作実行判定手段121は、予約動作管理手段21で管理されている予約動作終了時刻になった場合に、予約動作を終了し、待機状態に移行する（ステップS9）。なお、遠隔制御手段122は、ステップS8で遠隔制御を終了する場合には、空調機器3の設定内容を、遠隔制御を開始する前の元の状態に戻すようにすることも可能である。
【００４８】
＜本実施形態の情報処理装置1の作用・効果＞
このように、本実施形態の情報処理装置1は、図３に示すように、予約動作設定手段11により設定された予約動作内容と、温度確認時刻と、を対応付けて予約動作管理手段21で管理する。そして、予約動作実行判定手段121は、予約動作管理手段21で管理する温度確認時刻になった場合に、温度センサ2で計測された温度を確認し、その確認した温度の状態で、温度確認時刻と対応付けて予約動作管理手段21に管理されている予約動作内容が実行可能か否かを判定する。そして、遠隔制御手段122は、予約動作実行判定手段121が実行不可能と判定した場合に、予約動作内容が実行可能な温度になるように空調機器3を遠隔制御する。
【００４９】
これにより、本実施形態の情報処理装置1は、予約動作設定手段11により設定された予約動作内容が実行できない場合に、空調機器3を遠隔制御し、予約動作内容が実行可能な温度にすることになる。その結果、情報処理装置1は、情報処理装置1で本来行うべき作業以外の余計な負荷をかけずに温度制御を行い、予約動作内容を実行することが可能となる。
【００５０】
また、遠隔制御手段122は、空調機器3を遠隔制御することが可能なリモコンと同様な制御信号に変換し、その制御信号を用いて空調機器3を遠隔制御する。これにより、情報処理装置1は、既存の空調機器3に改良を加えることなく、空調機器3を遠隔制御することが可能となる。
【００５１】
（第２の実施形態）
次に、第２の実施形態について説明する。
【００５２】
第１の実施形態では、図３に示すように、温度確認時刻と、予約動作内容と、を対応付けて予約動作管理手段21で管理する。そして、予約動作実行判定手段121は、予約動作管理手段21で管理する温度確認時刻になった場合に、温度センサ2で計測された温度を確認し、その確認した温度の状態で、予約動作内容が実行可能か否かを判定した。
【００５３】
第２の実施形態では、図６に示すように、温度確認時刻と、予約動作内容と、温度上昇の予測値と、を対応付けて予約動作管理手段21で管理する。温度上昇の予測値は、予約動作内容を実行した場合に発生する温度上昇の値である。そして、予約動作実行判定手段121は、予約動作管理手段21で管理する温度確認時刻になった場合に、温度センサ2で計測された温度を確認し、その確認した温度の状態から温度上昇の予測値だけ温度が上昇しても、予約動作内容が実行可能か否かを判定する。これにより、情報処理装置1が予約動作内容を実行した場合に発生する温度上昇の値を考慮した上で予約動作内容が実行可能か否かを判定することが可能となる。その結果、予約動作内容を実行している途中でその予約動作内容が実行不可能な状態に陥ることを未然に回避することが可能となる。以下、図６〜図７を参照しながら、第２の実施形態について説明する。
【００５４】
＜情報処理装置1の内部構成＞
まず、図２を参照しながら、本実施形態の情報処理装置1の内部構成について説明する。
【００５５】
本実施形態の情報処理装置1は、図２に示す第１の実施形態と同様に構成し、情報処理装置1の予約動作管理手段21で管理する情報が異なるだけである。本実施形態の予約動作管理手段21は、図６に示すように、『予約ID』と、『温度確認時刻』と、『予約動作内容』と、『予約動作開始時刻』と、『予約動作終了時刻』と、『温度上昇の予測値』と、を対応付けて管理する。
【００５６】
図６に示す『温度上昇の予測値』は、予約動作内容を実行した場合に発生する温度上昇の値である。なお、温度上昇の予測値の算出方法は、特に限定するものではなく、温度上昇の要因となる様々な情報を考慮して任意に算出することが可能である。一般的に、予約動作内容が情報処理装置1に大量の負荷をかける処理であったり、予約動作開始時刻から予約動作終了時刻までの動作時間が長かったりした場合に、温度上昇の予測値が高くなる。
【００５７】
＜情報処理装置1の処理動作＞
次に、図７を参照しながら、本実施形態の情報処理装置1の処理動作について説明する。
【００５８】
まず、予約動作実行判定手段121は、予約動作管理手段21で管理されている温度確認時刻になった場合に（ステップS1/Yes）、温度センサ2で測定された温度を確認する（ステップS2）。
【００５９】
次に、予約動作実行判定手段121は、ステップS2で確認した温度の状態で、その温度確認時刻に対応付けて図６に示す予約動作管理手段21で管理されている予約動作内容が実行可能か否かを判定する（ステップS3）。
【００６０】
予約動作実行判定手段121は、ステップS3で予約動作内容が実行可能と判定した場合に（ステップS3/Yes）、図６に示す予約動作管理手段21で管理されている温度上昇の予測値を基に、ステップS2で確認した温度の状態から温度上昇の予測値だけ温度が上昇しても、予約動作内容が実行可能か否かを判定する（ステップS31）。
【００６１】
予約動作実行判定手段121は、ステップS31で予約動作内容が実行可能と判定した場合に（ステップS31/Yes）、図６に示す予約動作管理手段21で管理されている予約動作開始時刻になった場合に、その予約動作内容の予約動作を実行する（ステップS4）。そして、予約動作終了時刻になった場合に、予約動作を終了し、待機状態に移行する（ステップS5）。
【００６２】
また、予約動作実行判定手段121は、ステップS3で予約動作内容が実行不可能と判定した場合に（ステップS3/No）、遠隔制御手段122は、空調機器3の遠隔制御を開始し、予約動作開始時刻までに予約動作内容が実行可能な温度になるように空調機器3を制御する（ステップS6）。
【００６３】
また、予約動作実行判定手段121は、ステップS31で予約動作内容が実行不可能と判定した場合に（ステップS31/No）、遠隔制御手段122は、空調機器3の遠隔制御を開始し、ステップS2で予約動作実行判定手段121が確認した温度の状態から温度上昇の予測値だけ温度が上昇しても、予約動作内容が実行可能な温度になるように空調機器3を遠隔制御する（ステップS6）。
【００６４】
予約動作実行判定手段121は、遠隔制御手段122が遠隔制御を開始した後に、予約動作管理手段21で管理されている予約動作開始時刻になった場合に、その予約動作内容の予約動作を実行する（ステップS7）。
【００６５】
遠隔制御手段122は、予約動作管理手段21で管理されている予約動作終了時刻になった場合に、遠隔制御を終了する（ステップS8）。また、予約動作実行判定手段121は、予約動作管理手段21で管理されている予約動作終了時刻になった場合に、予約動作を終了し、待機状態に移行する（ステップS9）。
【００６６】
＜本実施形態の情報処理装置1の作用・効果＞
このように、本実施形態の情報処理装置1は、図６に示すように、温度上昇の予測値を予約動作管理手段21で管理する。そして、予約動作実行判定手段121は、図６に示す予約動作管理手段21で管理する温度確認時刻になった場合に、温度センサ2で計測された温度を確認し、その確認した温度の状態から温度上昇の予測値だけ温度が上昇しても、予約動作内容が実行可能か否かを判定する。これにより、情報処理装置1が予約動作内容を実行した場合に発生する温度上昇の値を考慮した上で予約動作内容が実行可能か否かを判定することが可能となる。その結果、予約動作内容を実行している途中でその予約動作内容が実行不可能な状態に陥ることを未然に回避することが可能となる。
【００６７】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６８】
例えば、上述した実施形態では、予約動作管理手段21で管理する温度確認時刻は、予約動作開始時刻よりも所定の時刻だけ早い時刻を設定するように構築した。しかし、予約動作開始時刻が現在時刻を示している場合には、予約動作開始時刻を温度確認時刻として予約動作管理手段21に設定するように構築することも可能である。例えば、情報処理装置1への遠隔操作が可能な通信端末装置（図示せず）から遠隔操作内容を情報処理装置1が受け付けた場合には、予約動作設定手段11は、その遠隔操作内容を予約動作内容として予約動作管理手段21に設定する。また、予約動作設定手段11は、遠隔操作内容を予約動作内容として予約動作管理手段21に設定した時刻（予約動作開始時刻）を温度確認時刻として予約動作管理手段21に設定する。これにより、情報処理装置1は、通信端末装置（図示せず）から遠隔操作を受け付けた場合に、その遠隔操作の動作内容を予約動作内容として予約動作管理手段21に設定し、その時点で、上述した図４、図７に示す一連の処理動作を行い、遠隔操作内容が実行可能か否かを判定することが可能となる。
【００６９】
また、上述した本実施形態における情報処理システムでは、温度センサ2で計測した温度に応じて空調機器3を遠隔制御することにした。しかし、情報処理装置1が遠隔制御する機器は、空調機器3だけに限定するものではなく、情報処理装置1の周辺に存在する発熱機器を遠隔制御するように構築することも可能である。例えば、情報処理装置1の周辺に発熱機器が存在する場合には、その発熱機器が発する熱により、情報処理装置1の周辺温度が高くなる。このため、温度センサ2で計測した温度に応じて発熱機器を遠隔制御し、発熱機器を一時的に停止させるように構築することも可能である。発熱機器としては、例えば、洗濯乾燥機等が挙げられる。
【００７０】
また、上述した実施形態では、情報処理装置1は、空調機器3を遠隔制御することが可能なリモコンと同様な制御信号に変換し、その変換した制御信号を用いて空調機器3を遠隔制御することにした。しかし、空調機器3を遠隔制御する際の方法は特に限定するものではなく、例えば、PLC（Power Line Communication）を利用して空調機器3の遠隔制御を行うように構築することも可能である。
【００７１】
PLCを利用して空調機器3の遠隔制御を行う場合には、PLCターミナルアダプタを情報処理装置1と空調機器3とに設置し、情報処理装置1と空調機器3とが電力線を介して接続し、空調機器3を遠隔制御することになる。
【００７２】
また、上述した実施形態における情報処理システムでは、温度センサ2を情報処理装置1の外部に設けるように構成した。しかし、温度センサ2を情報処理装置1に搭載するように構築することも可能である。
【００７３】
また、上述した情報処理装置1が行う遠隔制御は、冷暖房機能だけに限定するものではなく、空調機器3に搭載された様々な機能を遠隔制御するように構築することも可能である。例えば、図５に示すように、情報処理装置1と空調機器3との位置関係を情報処理装置1が把握している場合には、その位置関係を基に、空調機器3の送風方向を制御し、情報処理装置1に向けて風を送るように構築することも可能である。
【００７４】
また、上述した本実施形態における情報処理システムを構成する各装置における制御動作は、ハードウェア、または、ソフトウェア、あるいは、両者の複合構成を用いて実行することも可能である。
【００７５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００７６】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００７７】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００７８】
また、本実施形態における情報処理システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【産業上の利用可能性】
【００７９】
本発明は、予約動作機能を搭載した機器に適用可能である。
【図面の簡単な説明】
【００８０】
【図１】本実施形態の情報処理システムのシステム構成例を示す図である。
【図２】第１の実施形態の情報処理装置1の内部構成例を示す図である。
【図３】予約動作管理手段21で管理する予約動作リストのテーブル構成例を示す図である。
【図４】第１の実施形態の情報処理装置の処理動作例を示す図である。
【図５】空調機器3を遠隔制御する場合を説明するための図である。
【図６】予約動作管理手段21で管理する予約動作リストのテーブル構成例を示す図である。
【図７】第２の実施形態の情報処理装置1の処理動作例を示す図である。
【符号の説明】
【００８１】
１    情報処理装置
２    温度センサ（温度計測手段）
３    空調機器
１０    制御部
１１    予約動作設定手段
１２    予約動作制御手段
１２１    予約動作実行判定手段
１２２    遠隔制御手段
２０    記憶部
２１    予約動作管理手段
【図１】
2010078260.tif 000003
【図２】
2010078260.tif 000004
【図３】
2010078260.tif 000005
【図４】
2010078260.tif 000006
【図５】
2010078260.tif 000007
【図６】
2010078260.tif 000008
【図７】
2010078260.tif 000009